(57)【特許請求の範囲】
【請求項１】
避難用ハシゴを収納するハッチ本体と、このハッチ本体に対して開閉可能にした上蓋とを備え、
上記上蓋は、その開閉中心とは反対側をハッチ本体から突出させて取っ手部とし、
この取っ手部には、一方の揺動端を摘み部とし、他方の揺動端を第１の引掛け部とした開閉部材を揺動可能に設け、
上記ハッチ本体側には、上記第１の引掛け部の揺動軌跡の範囲内に第２の引掛け部を設け、
上記摘み部を摘んで開閉部材を揺動させることによって、上記第１，２の引掛け部同士を引掛けたり、その引掛け状態を解除したりする構成にし、
さらに、上記取っ手部と摘み部との間にゴム等からなる弾性材を介在させるとともに、これら取っ手部、弾性材及び摘み部を貫通する支持ピンを設け、
上記支持ピンの外径と弾性材の貫通孔の内径とをほぼ一致させる一方、
上記取っ手部及び摘み部のいずれか一方もしくは双方の通し孔の内径を上記支持ピンの外径よりも大きくして、支持ピンと、取っ手部あるいは摘み部とが相対的に揺動可能にした避難用ハッチ。
【請求項２】
上記支持ピンは頭部付きのネジ部材とし、その頭部とは反対端をナットでネジ止めした請求項１に記載の避難用ハッチ。
【発明の詳細な説明】
【技術分野】
【０００１】
この発明は、災害発生時に上階から下に降りる避難用ハシゴを収納するとともに、その上蓋が強風などで不用意に開いてしまわないようにした避難用ハッチに関する。
【背景技術】
【０００２】
この種の避難用ハッチとして特許文献１に開示されたものが従来から知られている。
この従来の避難用ハッチは、ハッチ本体内にレバーを揺動自在に設けるとともに、このレバーの先端に引掛け部を設け、その上蓋には上記引掛け部を引掛ける引掛け片を設けている。
【０００３】
さらに、上記レバーは、その引掛け部を上記引掛け片に引掛けた状態で、所定のストローク分だけ上蓋の開動作に追従する構成にしている。そして、所定のストロークの範囲内で開けた上蓋とハッチ本体との間に形成されたすき間に、手を差し入れて、上記引掛け部を引掛け片から外せるようにしている。
【０００４】
また、開いた上蓋を閉じるときには、上記引掛け片が上記引掛け部に当たって、レバーの引掛け部を強制的に退避させるとともに、引掛け片が引掛け部を通過した時点で、レバーが原位置に自動的に復帰して、引掛け部が引掛け片に引っ掛かるようにしている。
【先行技術文献】
【特許文献】
【０００５】
【特許文献１】特開平８−０８９５９０号公報
【発明の概要】
【発明が解決しようとする課題】
【０００６】
上記のようにした従来の避難用ハッチは、引掛け片と引掛け部との対応関係を正確に設定しておかなければ、それら両者を引掛けることができない。
しかし、実際には、現場においてハッチ本体にいろいろな歪みが発生する。その大きな要因は、コンクリートがその養生過程で収縮することである。
【０００７】
上記のようにコンクリートが収縮すると、ハッチ本体の設置孔の寸法も小さくなる。このときの設置孔の収縮力がハッチ本体に作用してハッチ本体を歪ませてしまう。
そして、ハッチ本体が歪めば、当然であるが、ハッチ本体と上蓋との相対関係が初期の設定と狂ってしまう。そのために、引掛け部が引掛け片に引っ掛からなくなったりする問題があった。
【課題を解決するための手段】
【０００８】
第１の発明は、避難用ハシゴを収納するハッチ本体と、このハッチ本体に対して開閉可能にした上蓋とを備えている。そして、この上蓋は、その開閉中心とは反対側をハッチ本体から突出させて取っ手部としている。さらに、この取っ手部には、一方の揺動端を摘み部とし、他方の揺動端を第１の引掛け部とした開閉部材を揺動可能に設けている。
【０００９】
一方、上記ハッチ本体側には、上記第１の引掛け部の揺動軌跡の範囲内に第２の引掛け部を設け、上記摘み部を摘んで開閉部材を揺動させることによって、上記第１，２の引掛け部同士を引掛けたり、その引掛け状態を解除したりする構成にしている。
さらに、上記取っ手部と摘み部との間にゴム等からなる弾性材を介在させるとともに、これら取っ手部、弾性材及び摘み部を貫通する支持ピンを設け、上記支持ピンの外径と弾性材の貫通孔の内径とをほぼ一致させる一方、上記取っ手部及び摘み部のいずれか一方もしくは双方の通し孔の内径を上記支持ピンの外径よりも大きくして、支持ピンと、取っ手部あるいは摘み部とが相対的に揺動できるようにしている。
【００１０】
第２の発明は、上記支持ピンは頭部付きのネジとし、その頭部とは反対端をナットでネジ止めしている。
【発明の効果】
【００１１】
第１の発明の避難用ハッチによれば、取っ手部、弾性材及び摘み部を貫通する支持ピンが揺動可能なので、開閉部材を回動させるための回動中心を固定化しなくてもよくなる。
このように開閉部材の回動中心が固定化されないので、例えば、フタ部材とハッチ本体との対応関係が多少狂ったとしても、その寸法誤差は、弾性材の弾性力と支持ピンの揺動で吸収することができる。
したがって、コンクリートの養生過程で、ハッチ本体が歪んだりしたとしても、第１，２の引掛け部を必ず引掛けることができる。
【００１２】
また、開閉部材を、例えばヒンジ機構を介して上蓋に止めれば、開閉部材の回動中心が固定化されることはもちろんであるが、ヒンジ機構の分だけ開閉部材と上蓋との間隔を大きく確保しなければならない。ところが、通常の避難用ハッチは、上蓋の取っ手部の下に指を差し入れるすき間が狭く、その間に大きな間隔を確保できないので、小さなヒンジ機構を用いざるを得ない。しかし、ヒンジ機構が小さければ小さいほど、第１，２引掛け部を引掛けたりその引掛け状態を解除したりするための開閉部材の揺動ストロークも小さくなってしまう。
【００１３】
開閉部材の揺動ストロークを小さくすれば、第１，２引掛け部を引掛けたりその引掛け状態を解除したりしにくくなってしまう。
これに対して、この発明の避難用ハッチによれば、上記のようなヒンジを必要としないので、取っ手部の下に指を差し入れるすき間が狭くても、開閉部材の揺動ストロークを大きく確保することができる。
【００１４】
第２の発明の避難用ハッチによれば、上記支持ピンを頭部付きのネジ部材とし、その頭部とは反対端をナットでネジ止めしたので、支持ピンの揺動可能な状態を保ちながら各部材を簡単に止めることができる。
【図面の簡単な説明】
【００１５】
【図１】ハッチ本体の断面図である。
【図２】開閉部材と引掛け片との関係を示した拡大図である。
【図３】開閉部材の拡大斜視図である。
【図４】引掛け片の正面図である。
【図５】開閉部材を引掛け片から外す過程を示した部分拡大図である。
【発明を実施するための形態】
【００１６】
図示していない避難用ハシゴを収納するハッチ本体Ｂには上蓋１と下蓋２とのそれぞれをヒンジ結合して、ハッチ本体Ｂに対して開閉可能にしている。そして、上蓋１を開くと、その開く力がリンク機構３を介して下蓋２に伝わり、下蓋２も同時に開く構成にしている。
さらに、上記ハッチ本体Ｂには、その開口周囲に上枠４を設け、このハッチ本体Ｂを建造物の図示していない設置孔に設置したとき、上記上枠４で設置孔の周囲を覆うようにしている。
【００１７】
また、図２に示すように、上記ハッチ本体Ｂであって、上記ヒンジ結合部分である上蓋１の開閉中心とは反対側の縁に、板部材５を折り曲げて形成した引掛け片５ａを設けている。すなわち、図２に示すように、一枚の板部材５を折り曲げて、その折り曲げ部分をハッチ本体Ｂの上枠４の縁に跨がせている。そして、板部材５のうちハッチ本体Ｂの外側に位置する部分を外側に突出させるとともに、その部分を引掛け片５ａとしている。このようにして形成した引掛け片５ａは、図４に示すように、ハッチ本体Ｂの縁に沿った方向の幅の長さをＬ１としている。
なお、上記引掛け片５ａがこの発明の第２の引掛け部を構成するものである。
【００１８】
上記上蓋１であって、上記ヒンジ結合部分である開閉中心とは反対側を取っ手部１ａとしている。すなわち、上蓋１を閉じた状態において、図２に示すように上蓋１の一側がハッチ本体Ｂよりも外方に突出する寸法を維持し、その外方に突出した部分を取っ手部１ａとするとともに、この取っ手部１ａは、図２に示すように、上蓋１に対して下向きの角度を設けている。
【００１９】
上記取っ手部１ａには、一枚の板を折り曲げて形成した開閉部材６を揺動可能に設けている。この開閉部材６は、その一方の揺動端を摘み部６ａとし、他方の揺動端側に第１の引掛け部である引掛け孔６ｂを形成している。
上記引掛け孔６ｂは、図３に示すように、開閉部材６を構成する一枚の板を折り曲げた折り曲げ部分の稜線に沿って形成している。このように稜線に沿って引掛け孔６ｂを形成したもので、その稜線方向の幅Ｌ２は、引掛け片５ａの幅Ｌ１のほぼ倍にしている。
【００２０】
なお、上記引掛け孔６ｂは、上記のように折り曲げ部分の稜線に沿って形成したので、例えば平板に孔を形成する場合よりも、図３に示した長さＬ３を短くすることができる。このように長さＬ３を短くできるので、奥行きが狭い取っ手部１ａに対しても、開閉部材６を取り付けることができる。
また、上記開閉部材６の幅方向両側には通し孔６ｃを形成するとともに、上記摘み部１ａにも、上記通し孔６ｃに対応する位置に通し孔１ｂを形成している。
【００２１】
上記のようにした取っ手部１ａと開閉部材６の摘み部６ａとの間には、ゴム等からなる弾性材７を介在させるとともに、上記通し孔１ｂ，６ｃ及び弾性材７を貫通する支持ピン８を設けている。
支持ピン８は、一端に頭部を設けたボルトからなり、図２に示すように、取っ手部１ａからその先端を通して、弾性材７及び開閉部材６の摘み部６ａを貫通させるとともに、その貫通端をナット９で止めている。
【００２２】
そして、上記通し孔６ｃの内径は、支持ピン８の外径よりも少し大きくし、図５に示すように、支持ピン８と開閉部材６とが相対的に揺動可能にしている。
ただし、この実施形態では、通し孔１ｂ及び弾性材７の貫通孔に対して、支持ピン８はぴったりとはまり合うようにしている。
【００２３】
したがって、開閉部材６の摘み部６ａを摘めば、図５に示すように、支持ピン８と通し孔６ｃとが相対移動しながら弾性材７を撓ませて開閉部材６が時計方向に回動する。そして、上記引掛け片５ａは、引掛け孔６ｂの揺動軌跡の範囲内に位置させているが、図２に示したノーマル状態すなわち弾性材７を撓ませていない状態では、上記引掛け片５ａが引掛け孔６ｂに引掛かった状態を保つ。
上記のノーマル状態から、摘み部６ａを摘んで、開閉部材６を弾性材７の弾性に抗して回動させれば、引掛け片５ａが引掛け孔６ｂから外れることになる。
【００２４】
次に、上蓋１を開閉するときの動作を説明する。
図２に示すように上蓋１が閉じている状態では、引掛け片５ａが引掛け孔６ｂに引掛かるので、たとえ強風が吹いても上蓋１が不用意に開いてしまうことはない。
一方、上蓋１を開くときには、摘み部６ａを摘んで、図５に示すように、開閉部材６を弾性材７に抗して上記時計方向に回動させる。開閉部材６が時計方向に回動すれば、引掛け孔６ｂが引掛け片５ａから外れるので、上蓋１を開くことができる。
【００２５】
そして、この実施形態では、開閉部材６は弾性材７を撓ませて回動する構成にしたので、例えば取っ手部１ａと開閉部材６との間にヒンジを設けたものよりも、取っ手部１ａと開閉部材６との間隔を狭くできる。しかも、それらを狭くしたとしても、開閉部材６の揺動ストロークを十分に大きく取れるので、開閉部材６の開閉動作に支障を来たすことはない。
【００２６】
また、ハッチ本体Ｂと上蓋１との相対的な寸法が多少ずれたとしても、その寸法のずれを、弾性材７の弾性力と、開閉部材６と支持ピン８との相対的な揺動とで吸収することができる。しかも、引掛け片５ａの幅Ｌ１に対して、引掛け孔６ｂの幅Ｌ２をほぼ倍にしたので、両者の寸法上のゆとりで、上記寸法誤差をさらに確実に吸収することができる。
さらに、弾性材７を用いたので、その摩擦力で、取っ手部１ａと開閉部材６との相対位置を保持することができる。しかも、支持ピン８は頭部付きのボルトとし、このボルトにナット９をはめるようにしたので、ナット９の締め具合で弾性材７の圧縮力すなわち摩擦力を自由に調整できる。
【００２７】
なお、上記実施形態において、引掛け孔６ｂを第１の引掛け部とし、引掛け片５ａを第２の引掛け部としたが、それらはあくまでも相対的である。したがって、例えば、ハッチ本体Ｂ側に固定する第１の引掛け部を引掛け孔とし、開閉部材６側の第２の引掛け部を引掛け片としてもよい。
【産業上の利用可能性】
【００２８】
強風などで上蓋が不用意に開かない対策を施した避難用ハッチに最適である。
【符号の説明】
【００２９】
Ｂ  ハッチ本体
１  上蓋
１ａ  取っ手部
５ａ  第２引掛け部である引掛け片
６  開閉部材
６ａ  摘み部
６ｂ  第１引掛け部としての引掛け孔
７  弾性材
８  支持ピン
９  ナット
【要約】
【課題】  強風等によって上蓋が不用意に開かないようにする。
【解決手段】  取っ手部１ａと摘み部６ａとの間にゴム等からなる弾性材７を介在させるとともに、これら取っ手部１ａ、弾性材７及び摘み部６ａを貫通する支持ピン８を設けている。そして、上記支持ピン８の外径と弾性材７の貫通孔の内径とをほぼ一致させる一方、上記取っ手部１ａ及び摘み部６ａのいずれか一方もしくは双方の通し孔１ｂ，６ｃの内径を上記支持ピン８の外径よりも大きくして、支持ピン８と、取っ手部１ａあるいは摘み部６ａとが相対的に揺動可能にしている。
【選択図】  図２【図１】
0005781210.tif 000002
【図２】
0005781210.tif 000003
【図３】
0005781210.tif 000004
【図４】
0005781210.tif 000005
【図５】
0005781210.tif 000006